(57)【特許請求の範囲】
【請求項１】
液晶表示パネルの基板に形成した所定パターンのパネル電極端子に液晶駆動用ドライバＩＣのＩＣ電極端子を電気的に接続するとともに、前記パネル電極端子のうちの前記液晶駆動用ドライバＩＣの入力側に位置するパネル電極端子にフレキシブル回路基板の接続端子を電気的に接続し、少なくとも前記パネル電極端子と前記ＩＣ電極端子との接続部位をシリコーンレジンによりモールドしてなる液晶表示パネルのフレキシブル回路基板実装構造において、
前記パネル電極端子と前記接続端子との接続部位が前記シリコーンレジンに接触するのを防止する堰が設けられており、
前記堰が、前記パネル電極端子に前記接続端子を接続した後に、前記パネル電極端子と前記接続端子との接続部位の周辺で前記フレキシブル回路基板を囲むように覆って形成されており、
前記シリコーンレジンによるモールドが、前記堰を形成した後に、前記パネル電極端子と前記ＩＣ電極端子との接続部位に前記シリコーンレジンを塗布することにより形成されていることを特徴とする液晶表示パネルのフレキシブル回路基板実装構造。
【請求項２】
前記堰が、紫外線硬化樹脂により形成されていることを特徴とする請求項１に記載の液晶表示パネルのフレキシブル回路基板実装構造。
【請求項３】
前記紫外線硬化樹脂が、ディスペンサを用いて塗工されていることを特徴とする請求項２に記載の液晶表示パネルのフレキシブル回路基板実装構造。
【発明の詳細な説明】
【０００１】
【発明の属する技術分野】
本発明は、液晶表示パネルのフレキシブル回路基板実装構造に係り、特に、液晶表示パネル上に液晶駆動用ドライバＩＣを直接実装したチップ・オン・ガラス（ＣＯＧ）実装に好適な液晶表示パネルのフレキシブル回路基板実装構造に関する。
【０００２】
【従来の技術】
従来から、文字や図形などの各種の画像を表示する表示装置の一種として、液晶表示装置が知られており、このような液晶表示装置の表示部として一対の透明基板の間に液晶が密封された液晶表示パネルが用いられている。
【０００３】
図３および図４はＣＯＧ実装された従来の液晶表示パネルの要部を示すものであり、従来の液晶表示パネル１においては、例えば、ガラスなどからなる一対の基板２をそれぞれ対向して配置し、これら各基板２の互いに対向する面には、酸化インジウム錫（以下、ＩＴＯという）などからなる透明電極３が積層形成されている。そして、透明電極３が形成された基板２の表面には、互いに対向する透明電極３の間で液晶分子を一定の形態に配列させるために表面にラビング処理が施されたポリイミドなどの高分子材料からなる配向膜（図示せず）が積層形成されている。このような配向処理が施された２枚の基板２は、相互間の間隔が図示しないスペーサによって数μｍ程度に保持されている。また、２枚の基板２は、接着材を兼ねたシール材４によって貼り合わされており、予め設けられた図示しない注入口から液晶が注入され、その後注入口を封止することで、２枚の基板２の間に液晶が密封されている。
【０００４】
また、ＣＯＧ実装された従来の液晶表示パネル１の電極端子構造においては、例えば、一対の基板２の間に液晶を注入、封止してなる一対の基板２のうちの図３下方に示す一方の基板２は、図３上方に示す他方の基板２に対して大きく形成されており、この大きく形成された一方の基板２の突出部分の他方の基板２側の表面は、電極端子形成部２ａとされている。この電極端子形成部２ａには、液晶駆動用ドライバＩＣ（駆動回路）５が実装されており、この液晶駆動用ドライバＩＣ５の出力側のＩＣ電極５ａは、液晶表示部６に位置する表示用電極としての透明電極３から引き出された所定パターンの多数の出力配線７と電気的に接続されている。また、液晶駆動用ドライバＩＣ５の入力側（図３左側）のＩＣ電極端子５ｂには、所定パターンの多数の入力配線８とこれに連なる外部接続用端子９が形成されており、液晶駆動用ドライバＩＣ５の入力側のＩＣ電極端子５ｂは、入力配線８と電気的に接続されている。
【０００５】
前記出力配線７、入力配線８および外部接続端子９により、パネル電極端子１０が形成されている。
【０００６】
これらのパネル電極端子１０は、基板２上に形成したＩＴＯ膜をパターニングして透明電極３を形成する際に、基板２の電極端子形成部２ａに位置するＩＴＯ膜をパネル電極端子１０の形状にパターニングすることで形成されている。すなわち、パネル電極端子１０は、透明電極３と同一厚さのＩＴＯ膜により、透明電極３の形成と同時に設けられている。なお、パネル電極端子１０としては、電極端子形成部２ａにバス配線および電源配線を配置する構成もある。
【０００７】
そして、外部接続端子９には、フレキシブル回路基板１１の接続端子１１ａが、異方性導電膜などの接合部材１２を介して接続されるようになっている。そして、フレキシブル回路基板１１から送られる信号および電力は、入力配線８を介して液晶駆動用ドライバＩＣ５に入力され、この液晶駆動用ドライバＩＣ５からの信号を入力配線７を介して液晶表示部６に送ることにより、所望の画像の表示を行なうことができるようになっている。
【０００８】
また、少なくともパネル電極端子１０とＩＣ電極端子５ａ，５ｂとの接続部位は、図３に示すように、シリコーンレジン１３によりモールドされており、接合部に働く収縮力に対し柔軟な構造を取ることにより安定性を確保している。このシリコーンレジン１３は、未硬化状態において流動性を具備する液状に形成されており、塗布した後、加熱することなどにより硬化（固化）される。なお、シリコーンレジン１３は、液晶駆動用ドライバＩＣ５の固定と保護のため、液晶駆動用ドライバＩＣ５を覆うように塗布されている。
【０００９】
【発明が解決しようとする課題】
しかしながら、前述した従来の液晶表示パネル１においては、シリコーンレジン１３の粘度が低く流動性に富むため、図３に示すように、シリコーンレジン１３が外部接続端子９とフレキシブル回路基板１１の接続端子１１ａとの接続部位にも接触した状態となる。そして、シリコーンレジン１３には、硬化した後もモノマーやオリゴマーなどの重合度の低い低分子量分のシリコーンオイルが含有されており、このシリコーンオイルは僅かな隙間に対して浸透する性質をもつため、外部接続端子９と接続端子１１ａとの接続部位に接触しているシリコーンレジン１３からシリコーンオイルが、外部接続端子９と接合部材１２との界面、および、接合部材１２と接続端子１１ａとの界面とに浸透し、その結果、接合部材１２を介した外部接続端子９と接続端子１１ａとの接合強度（剥離強度）が時間の経過とともに低下し、接合部位の剥離につながるという問題点があった。
【００１０】
そこで、パネル電極端子とフレキシブル回路基板の接続端子との接合強度を長期間に亘り保持することのできる液晶表示パネルのフレキシブル回路基板実装構造が望まれている。
【００１１】
本発明はこれらの点に鑑みてなされたものであり、パネル電極端子とフレキシブル回路基板の接続端子との接合強度を長期間に亘り保持することのできる液晶表示パネルのフレキシブル回路基板実装構造を提供することを目的としている。
【００１２】
【課題を解決するための手段】
前述した目的を達成するため請求項１に係る本発明の液晶表示パネルのフレキシブル回路基板実装構造の特徴は、液晶表示パネルの基板に形成した所定パターンのパネル電極端子に液晶駆動用ドライバＩＣのＩＣ電極端子を電気的に接続するとともに、前記パネル電極端子のうちの前記液晶駆動用ドライバＩＣの入力側に位置するパネル電極端子にフレキシブル回路基板の接続端子を電気的に接続し、少なくとも前記パネル電極端子と前記ＩＣ電極端子との接続部位をシリコーンレジンによりモールドしてなる液晶表示パネルのフレキシブル回路基板実装構造において、前記パネル電極端子と前記接続端子との接続部位が前記シリコーンレジンに接触するのを防止する堰が設けられており、前記堰が、前記パネル電極端子に前記接続端子を接続した後に、前記パネル電極端子と前記接続端子との接続部位の周辺で前記フレキシブル回路基板を囲むように覆って形成されており、前記シリコーンレジンによるモールドが、前記堰を形成した後に、前記パネル電極端子と前記ＩＣ電極端子との接続部位に前記シリコーンレジンを塗布することにより形成されている点にある。そして、このような構成を採用したことにより、堰は、シリコーンレジンがパネル電極端子と接続端子との接続部位に接触するのを防止することができる。したがって、シリコーンレジンに含有されるモノマーやオリゴマーなどの重合度の低い低分子量分のシリコーンオイルがパネル電極端子と接続端子との接続部位に接触することに起因して生じる接合部材を介した外部接続端子と接続端子との接合強度が時間の経過とともに低下するという不都合を確実に防止することができるため、パネル電極端子とフレキシブル回路基板の接続端子との接合強度を長期間に亘り保持することができる。
【００１３】
また、請求項２に係る本発明の液晶表示パネルのフレキシブル回路基板実装構造の特徴は、請求項１において、堰が、紫外線硬化樹脂により形成されている点にある。そして、このような構成を採用したことにより、任意の位置に堰を容易に形成することができる。
【００１４】
また、請求項３に係る本発明の液晶表示パネルのフレキシブル回路基板実装構造の特徴は、請求項２において、紫外線硬化樹脂が、ディスペンサを用いて塗工されている点にある。
【００１５】
【発明の実施の形態】
以下、本発明を図面に示す実施形態により説明する。なお、前述した従来のものと同一ないし相当する構成については図面中に同一の符号を付す。
【００１６】
図１および図２は本発明に係る液晶表示パネルのフレキシブル回路基板実装構造の要部を示すものであり、図１は断面図、図２は平面図である。
【００１７】
図１および図２に示すように、本実施形態の液晶表示パネルのフレキシブル回路基板実装構造２０において、図１下方に示す基板２のパネル電極端子形成部２ａ上には、液晶駆動用ドライバＩＣ５が実装されている。この液晶駆動用ドライバＩＣ５の出力側のＩＣ電極５ａは、液晶表示部６に位置する表示用電極としての透明電極３から引き出された所定パターンの多数の出力配線７と電気的に接続されている。また、液晶駆動用ドライバＩＣ５の入力側には、所定パターンの多数の入力配線８とこれに連なる外部接続用端子９が形成されており、液晶駆動用ドライバＩＣ５の入力側のＩＣ電極端子５ｂは、入力配線８と電気的に接続されている。
【００１８】
前記出力配線７、入力配線８および外部接続端子９により、パネル電極端子１０が形成されている。
【００１９】
前記外部接続端子９には、フレキシブル回路基板１１の接続端子１１ａが異方性導電膜などの接合部材１２を介して接続されている。また、パネル電極端子１０と接続端子１１ａとの接続部位の周辺には、接触防止手段としての紫外線硬化樹脂により形成された堰２１が形成されている。この堰１３は、液晶駆動用ドライバＩＣ５の固定と保護のため、液晶駆動用ドライバＩＣ５を覆うように塗布されるシリコーンレジン１３が乗り越えない高さに形成することが肝要である。
【００２０】
前記堰２１は、シリコーンレジン１３を塗布する前（パネル電極１０に液晶駆動用ドライバＩＣ５およびフレキシブル回路基板１１を接続した後）に形成する形成方法が用いられている。
【００２１】
また、本実施形態の堰２１は、紫外線硬化樹脂としての紫外線硬化型アクリル樹脂をディスペンサを用いてパネル電極端子１０と接続端子１１ａとの接続部位の周辺に幅１ｍｍ程度に塗工し、その後、高圧水銀灯を用いた紫外線照射を行って紫外線硬化型アクリル樹脂を固化することにより形成されている。
【００２２】
その他の構成は従来と同様とされているので、その詳しい説明は省略する。
【００２３】
つぎに、前述した構成からなる本実施形態の作用について説明する。
【００２４】
本実施形態の液晶表示パネルのフレキシブル回路基板実装構造２０によれば、接触防止手段としての堰２１は、シリコーンレジン１３を液晶駆動用ドライバＩＣ５を覆うように塗布した際に、流動性を有するシリコーンレジン１３がパネル電極端子１０の一部を構成する外部接続端子９とフレキシブル回路基板１１の接続端子１１ａとの接続部位に接触するのを防止することができる。
【００２５】
したがって、本実施形態の液晶表示パネルのフレキシブル回路基板実装構造２０の堰２１によれば、シリコーンレジン１３に含有されるモノマーやオリゴマーなどの重合度の低い低分子量分のシリコーンオイルがパネル電極端子１０と接続端子１１ａとの接続部位に接触することに起因して生じる接合部材１２を介した外部接続端子９と接続端子１１ａとの接合強度が時間の経過とともに低下するという不都合を確実に防止することができるため、パネル電極端子１０とフレキシブル回路基板１１の接続端子１１ａとの接合強度を長期間に亘り容易かつ確実に保持することができる。
【００２６】
このことは、本実施形態の堰２１を設けたパネル電極端子１０と接続端子１１ａとの接続部位の接合強度としての剥離強度が、初期値に対して室温にて１０００時間放置した後に２０％程度の低下にとどまるのに対し、従来のシリコーンレジン１３がパネル電極端子１０と接続端子１１ａとの接続部位に接触した堰２１を設けない構成の場合には、初期値に対して室温にて１０００時間放置した後に５０％程度に半減するという比較実験結果により確認することができた。
【００２７】
また、本実施形態の接触防止手段としての堰２１は、紫外線硬化樹脂により形成されており、未硬化の紫外線硬化樹脂を所定の位置に塗工した後に、紫外線を照射することで紫外線硬化樹脂を硬化（固化）させることができるので、任意の位置に堰２１を容易に形成することができる。
【００２８】
なお、本発明は前記実施形態に限定されるものではなく、必要に応じて種々変更することができる。
【００２９】
以上説明したように請求項１に係る本発明の液晶表示パネルのフレキシブル回路基板実装構造によれば、堰は、シリコーンレジンがパネル電極端子と接続端子との接続部位に接触するのを防止することができるなどの極めて優れた効果を奏する。したがって、シリコーンレジンに含有されるモノマーやオリゴマーなどの重合度の低い低分子量分のシリコーンオイルがパネル電極端子と接続端子との接続部位に接触することに起因して生じる接合部材を介した外部接続端子と接続端子との接合強度が時間の経過とともに低下するという不都合を確実に防止することができるため、パネル電極端子とフレキシブル回路基板の接続端子との接合強度を長期間に亘り保持することができるなどの極めて優れた効果を奏する。
【００３０】
また、請求項２に係る本発明の液晶表示パネルのフレキシブル回路基板実装構造によれば、任意の位置に堰を容易に形成することができるなどの極めて優れた効果を奏する。
【図面の簡単な説明】
【図１】  本発明に係る液晶表示パネルのフレキシブル回路基板実装構造の要部の構成を示す断面図
【図２】  本発明に係る液晶表示パネルのフレキシブル回路基板実装構造の要部の構成を示す平面図
【図３】  従来の液晶表示パネルのフレキシブル回路基板実装構造の要部の構成を示す断面図
【図４】  従来の液晶表示パネルのフレキシブル回路基板実装構造の要部の構成を示す平面図
【符号の説明】
２  基板
２ａ  パネル電極端子形成部
３  透明電極
５  液晶駆動用ドライバＩＣ
６  液晶表示部
１０  パネル電極端子
１１  フレキシブル回路基板
１１ａ  （フレキシブル回路基板の）接続端子
１２  接合部材
１３  シリコーンレジン
２０  パネル電極端子構造
２１  （接触防止手段としての）堰
【図１】
0004861548.tif 000002
【図２】
0004861548.tif 000003
【図３】
0004861548.tif 000004
【図４】
0004861548.tif 000005